(57)【要約】【課題】重ねられたケーブル同士に相対的なずれが生じた場合であっても、信号を伝送する伝送線に対してシールド効果を発揮できるようにすること。【解決手段】所定の方向に並ぶ複数の伝送線においてグランド線が連続して並ぶグランド線群を含む第１ケーブルと、前記第１ケーブルに対向するように配置され、前記所定の方向に複数の伝送線が並ぶ第２ケーブルであって、電圧変化する伝送線が前記グランド線群を包括する領域に対向するように配置される第２ケーブルと、を備える液体吐出装置。【選択図】図９
2008290387.tif 000002
【特許請求の範囲】
【請求項１】
所定の方向に並ぶ複数の伝送線においてグランド線が連続して並ぶグランド線群を含む第１ケーブルと、
前記第１ケーブルに対向するように配置され、前記所定の方向に複数の伝送線が並ぶ第２ケーブルであって、電圧変化する伝送線が前記グランド線群を包括する領域に対向するように配置される第２ケーブルと、
を備える液体吐出装置。
【請求項２】
前記グランド線群において連続して並ぶ前記グランド線の本数は少なくとも３本である、請求項１に記載の液体吐出装置。
【請求項３】
前記グランド線群において連続して並ぶ前記グランド線の本数は、前記電圧変化する伝送線の本数よりも少なくとも２本多い、請求項１又は２に記載の液体吐出装置。
【請求項４】
前記第２ケーブルにおいて、さらに、前記電圧変化する伝送線を挟み込むようにグランド線が配置される、請求項１〜３のいずれかに記載の液体吐出装置。
【請求項５】
前記第２ケーブルにおいて前記第１ケーブルが対向する側の反対側に対向し、所定の方向に複数の伝送線が並ぶ第３ケーブルであって、電圧変化する伝送線が前記グランド線群を包括する領域に対向するように配置される第３ケーブルをさらに備える、請求項１〜４のいずれかに記載の液体吐出装置。
【請求項６】
前記電圧変化する伝送線は、送信する信号と該送信する信号を反転した信号とで構成される差動信号を伝送する、請求項１〜５のいずれかに記載の液体吐出装置。
【請求項７】
前記電圧変化する伝送線はクロック信号を伝送する、請求項１〜６のいずれかに記載の液体吐出装置。
【請求項８】
液体滴を吐出するためのヘッドをさらに備え、前記電圧変化する伝送線は前記液体滴を吐出させるためにヘッドに印加される駆動信号を伝送する、請求項１〜６のいずれかに記載の液体吐出装置。
【請求項９】
液体滴を吐出するためのヘッドをさらに備え、前記電圧変化する伝送線は前記液体滴を吐出するか否かを制御するための制御信号を伝送する、請求項１〜６のいずれかに記載の液体吐出装置。
【請求項１０】
前記第１ケーブルの一方の端部と前記第２ケーブルの一方の端部とが接続する第１部材と、前記第１ケーブルの他方の端部と前記第２ケーブルの他方の端部とが接続する第２部材とは、互いに相対的に移動する部材である、請求項１〜９のいずれかに記載の液体吐出装置。
【請求項１１】
前記第１ケーブルの一方の端部と前記第２ケーブルの一方の端部とが接続する第１の接続部と、前記第１ケーブルの他方の端部と前記第２ケーブルの他方の端部とが接続する第２の接続部とは、互いに相対的に移動しない接続部である、請求項１〜９のいずれかに記載の液体吐出装置。
【請求項１２】
所定の方向に並ぶ複数の伝送線においてグランド線が連続して並ぶグランド線群を含む第１ケーブルと、
前記第１ケーブルに対向するように配置され、前記所定の方向に複数の伝送線が並ぶ第２ケーブルであって、電圧変化する伝送線が前記グランド線群を包括する領域に対向するように配置される第２ケーブルと、
を備える信号伝送路。
【発明の詳細な説明】
【技術分野】
【０００１】
本発明は、液体吐出装置及び信号伝送路に関する。
【背景技術】
【０００２】
電子機器の回路基板間で信号の伝送を行うために信号伝送用のケーブルが用いられる。そのケーブルの中でも、その薄さや柔軟性などの理由から、平面上に所定間隔で導線を配置したフレキシブルフラットケーブル（ＦＦＣ：Flexible Flat Cable）が使用されることが多い。そして、その際、伝送線の実装密度を高めるために導線の数が少なく幅が小さい複数枚のフレキシブルフラットケーブルが重ねて使用されることもある。
【特許文献１】特開２００３−１１２４２４号公報
【特許文献２】特開２００６−３０９９６１号公報
【発明の開示】
【発明が解決しようとする課題】
【０００３】
フレキシブルフラットケーブルが重ねられて使用される場合、信号の伝送線に対するシールドを行うために、この伝送線の対向する位置にグランド線を配置することがある。しかしながら、何らかの理由によりケーブル同士に相対的なずれが生ずると、グランド線の位置が信号の伝送線の位置に対して対向せず、シールド効果を良好に発揮できない場合があった。
【０００４】
本発明は、このような事情に鑑みてなされたものであり、重ねられたケーブル同士に相対的なずれが生じた場合であっても、信号を伝送する伝送線に対してシールド効果を発揮できるようにすることを目的とする。
【課題を解決するための手段】
【０００５】
上記目的を達成するための主たる発明は、
所定の方向に並ぶ複数の伝送線においてグランド線が連続して並ぶグランド線群を含む第１ケーブルと、
前記第１ケーブルに対向するように配置され、前記所定の方向に複数の伝送線が並ぶ第２ケーブルであって、電圧変化する伝送線が前記グランド線群を包括する領域に対向するように配置される第２ケーブルと、
を備える液体吐出装置である。
【０００６】
本発明の他の特徴については、本明細書及び添付図面の記載により明らかにする。
【発明を実施するための最良の形態】
【０００７】
本明細書及び添付図面の記載により、少なくとも、以下の事項が明らかとなる。
【０００８】
所定の方向に並ぶ複数の伝送線においてグランド線が連続して並ぶグランド線群を含む第１ケーブルと、
前記第１ケーブルに対向するように配置され、前記所定の方向に複数の伝送線が並ぶ第２ケーブルであって、電圧変化する伝送線が前記グランド線群を包括する領域に対向するように配置される第２ケーブルと、
を備える液体吐出装置。  
このようにすることで、重ねられたケーブル同士に相対的なずれが生じた場合であっても、信号を伝送する伝送線に対してシールド効果を発揮できるようにすることができる。
【０００９】
かかる液体吐出装置であって、前記グランド線群において連続して並ぶ前記グランド線の本数は少なくとも３本であることが望ましい。また、前記グランド線群において連続して並ぶ前記グランド線の本数は、前記電圧変化する伝送線の本数よりも少なくとも２本多いことが望ましい。また、前記第２ケーブルにおいて、さらに、前記電圧変化する伝送線を挟み込むようにグランド線が配置されることが望ましい。また、前記第２ケーブルにおいて前記第１ケーブルが対向する側の反対側に対向し、所定の方向に複数の伝送線が並ぶ第３ケーブルであって、電圧変化する伝送線が前記グランド線群を包括する領域に対向するように配置される第３ケーブルをさらに備えることが望ましい。
【００１０】
また、前記電圧変化する伝送線は、送信する信号と該送信する信号に対して反転した信号とで構成される差動信号を伝送することが望ましい。また、前記電圧変化する伝送線はクロック信号を伝送することが望ましい。また、液体滴を吐出するためのヘッドをさらに備え、前記電圧変化する伝送線は前記液体滴を吐出させるためにヘッドに印加される駆動信号を伝送することが望ましい。また、液体滴を吐出するためのヘッドをさらに備え、前記電圧変化する伝送線は前記液体滴を吐出するか否かを制御するための制御信号を伝送することが望ましい。また、前記第１ケーブルの一方の端部と前記第２ケーブルの一方の端部とが接続する第１部材と、前記第１ケーブルの他方の端部と前記第２ケーブルの他方の端部とが接続する第２部材とは、互いに相対的に移動する部材であることが望ましい。
【００１１】
また、前記第１ケーブルの一方の端部と前記第２ケーブルの一方の端部とが接続する第１の接続部と、前記第１ケーブルの他方の端部と前記第２ケーブルの他方の端部とが接続する第２の接続部とは、互いに相対的に移動しない接続部であるとしてもよい。
【００１２】
このようにすることで、重ねられたケーブル同士に相対的なずれが生じた場合であっても、信号を伝送する伝送線に対してシールド効果を発揮できるようにすることができる。
【００１３】
所定の方向に並ぶ複数の伝送線においてグランド線が連続して並ぶグランド線群を含む第１ケーブルと、
前記第１ケーブルに対向するように配置され、前記所定の方向に複数の伝送線が並ぶ第２ケーブルであって、電圧変化する伝送線が前記グランド線群を包括する領域に対向するように配置される第２ケーブルと、
を備える信号伝送路。  
このようにすることで、重ねられたケーブル同士に相対的なずれが生じた場合であっても、信号を伝送する伝送線に対してシールド効果を発揮できるようにすることができる。
【００１４】
＝＝＝第１実施形態＝＝＝
＜プリンタ１の構成について＞
図１は、プリンタ１の構成を説明するためのブロック図である。図２は、プリンタ１を説明するための斜視図である。以下、これらの図を参照しつつ説明を行う。
【００１５】
プリンタ１は、用紙搬送機構２０、キャリッジ移動機構３０、キャリッジＣＲ上に搭載されるヘッドユニット４０、検出器群５０、制御回路６０、インタフェース６１、及び駆動信号生成回路７０を有する。また、ヘッドユニット４０は、ヘッド制御部ＨＣを搭載したヘッド４１を有している。制御回路６０及び駆動信号生成回路７０は、プリンタ１内に固定されたメイン基板Ｂａｓｅ＿Ｍ上に搭載されている。メイン基板Ｂａｓｅ＿Ｍからの信号を中継するための中継基板Ｂａｓｅ＿ＩがキャリッジＣＲに搭載されている。そして、メイン基板Ｂａｓｅ＿Ｍと中継基板Ｂａｓｅ＿Ｉとは、中継用フレキシブルフラットケーブルＣＲ＿ＦＦＣによって接続されている。また、中継基板Ｂａｓｅ＿Ｉとヘッド制御部ＨＣとはヘッド接続用フレキシブルフラットケーブルＨＤ＿ＦＦＣによって接続されている。
【００１６】
プリンタ１は、インタフェース６１を介してコンピュータ１１０から取得した印刷データに基づいて用紙Ｓ上に画像の印刷を行う。このプリンタ１では、制御回路６０によって用紙搬送機構２０、キャリッジ移動機構３０、ヘッドユニット４０、及び駆動信号生成回路７０が制御される。用紙搬送機構２０は、制御回路６０の制御により用紙Ｓを印刷可能な位置に送り込んだり、この用紙Ｓを搬送方向に所定の搬送量で搬送させたりする。キャリッジ移動機構３０は、キャリッジＣＲ移動用のベルト３１とキャリッジモータ３２を用いて、ヘッドユニット４０が取り付けられたキャリッジＣＲをキャリッジ移動方向に移動させるためのものである。また、検出器群５０の各検出器は、プリンタ１内の状況を監視している。そして、各検出器は、検出結果を制御回路６０に出力する。各検出器からの検出結果を受けた制御回路６０は、その検出結果に基づいて制御対象部を制御する。ヘッドユニット４０は、液体吐出部としてのピエゾ素子ＰＺＴを含むヘッド制御部ＨＣを含んでいる。
【００１７】
尚、制御回路６０は、後述する駆動信号を生成させるための波形データなどを記憶する記憶部を含んでいる。また、制御回路６０は、後述する画素データＳＩ、ラッチ信号ＬＡＴ、チェンジ信号ＣＨ、転送用クロック信号ＳＣＫを出力する。
【００１８】
プリンタ１が使用する印刷データは、プリンタ１が解釈できる形式のデータであって、各種のコマンドデータと、画素データＳＩを有する。コマンドデータとは、プリンタ１に特定の動作の実行を指示するためのデータである。このコマンドデータには、例えば、給紙を指示するコマンドデータ、搬送量を示すコマンドデータ、排紙を指示するコマンドデータがある。
【００１９】
また、画素データＳＩは、印刷される画像の画素に関するデータである。ここで、画素とは、用紙上に仮想的に定められた方眼状の升目であり、ドットが形成される領域を示す。そして、印刷データにおける画素データは、用紙上に形成されるドットに関するデータ（例えば、階調値）であり、２ビットのデータによって構成されている。すなわち、この画素データＳＩには、ドット無しに対応するデータ［００］と、小ドットに対応するデータ［０１］と、中ドットの形成に対応するデータ［１０］と、大ドットに対応するデータ［１１］とがある。
【００２０】
＜ヘッド４１の構造について＞
図３は、ヘッド４１の構造を説明するための図である。図には、ノズルＮｚ、ピエゾ素子ＰＺＴ、インク供給路４０２、ノズル連通路４０４、及び、弾性板４０６が示されている。
【００２１】
インク供給路４０２には、不図示のインクタンクからインク滴が供給される。そして、これらのインク滴等は、ノズル連通路４０４に供給される。ピエゾ素子ＰＺＴには、後述する駆動信号ＣＯＭの駆動パルスが印加される。駆動パルスが印加されると、駆動パルスの信号に従ってピエゾ素子ＰＺＴが伸縮し、弾性板４０６を振動させる。そして、駆動パルスの振幅に対応する量のインク滴がノズルＮｚから吐出されるようになっている。
【００２２】
このように、ノズルＮｚ、ピエゾ素子ＰＺＴ、インク供給路４０２、ノズル連通路４０４、及び、弾性板４０６とからなる組が図の紙面に向かう方向に９０個並び、ノズル列を構成している。そして、ヘッド４１は、第１ノズル列Ａ〜第１０ノズル列Ｊの１０本のノズル列を有するヘッドとなっている。
【００２３】
＜ヘッド制御部ＨＣにおいて使用される信号について＞
次に、ヘッド制御部ＨＣの構成について説明しつつ、ここで使用される画素データＳＩ、転送用クロック信号ＳＣＫ、ラッチ信号ＬＡＴ、チェンジ信号ＣＨの説明を行う。  
図４は、ヘッド制御部ＨＣの構成を説明するブロック図である。前述のように、ここでは１０本のノズル列を有するヘッド４１が使用される。ヘッド４１において、図４に示されるようなヘッド制御部ＨＣ１（個々のヘッド制御部を区別して使用するときはヘッド制御部の符号ＨＣの後ろに番号を付すこととする。また、ヘッド制御部を総称して呼ぶときは、符号を単にＨＣとする。）が２本のノズル列分のノズルからのインクの吐出を担う。ヘッド４１は１０本のノズル列を有するので、ヘッド４１上には５つのヘッド制御部ＨＣ１〜ＨＣ５が搭載される。ここでは、この中で第１ノズル列Ａと第２ノズル列Ｂからインク滴を吐出するためのヘッド制御部ＨＣ１の構成について代表して説明する。第３ノズル列Ｃ〜第１０ノズル列Ｊまでのノズル列からインク滴を吐出するためのヘッド制御部ＨＣ２〜ＨＣ５の構成もこれとほぼ同様の構成である。
【００２４】
このヘッド制御部ＨＣ１は、第１シフトレジスタ８１Ａと、第２シフトレジスタ８１Ｂと、第１ラッチ回路８２Ａと、第２ラッチ回路８２Ｂと、デコーダ８３と、制御ロジック８４と、スイッチ８５を有する。そして、制御ロジック８４を除いた各部、すなわち、第１シフトレジスタ８１Ａ、第２シフトレジスタ８１Ｂ、第１ラッチ回路８２Ａ、第２ラッチ回路８２Ｂ、デコーダ８３、及び、スイッチ８５は、それぞれピエゾ素子ＰＺＴ毎に設けられる。また、ピエゾ素子ＰＺＴはインクが吐出されるノズルＮｚ毎に設けられるので、これらの各部もノズルＮｚ毎に設けられている。
【００２５】
ヘッド制御部ＨＣ１は、制御回路６０からの画素データＳＩ＿ＡＢ（ノズル列の個々の画素データを区別して使用するときには、画素データＳＩの後ろにノズル列の符号を付して表現する。たとえば、ここでは第１ノズル列Ａと第２ノズル列Ｂの画素データであるのでＳＩ＿ＡＢと表現される。尚、画素データを総称して呼ぶときは符号を単にＳＩとする）に基づき、インクを吐出させるための制御を行う。すなわち、ヘッド制御部ＨＣは、印刷データに基づいてスイッチ８５を制御し、駆動信号ＣＯＭ＿Ａ（個々の駆動信号を区別して使用するときには、駆動信号ＣＯＭの符号の後ろに対応するノズル列の符号を付して表現する。例えば、第１ノズル列Ａに印加する駆動信号を表現するときにはＣＯＭ＿Ａと表現される。一方、総称としての駆動信号を表現するときは、「駆動信号ＣＯＭ」とする。）における必要な部分を選択的に第１ノズル列Ａのピエゾ素子ＰＺＴへ印加させている。また、駆動信号ＣＯＭ＿Ｂにおける必要な部分を選択的に第２ノズル列Ｂのピエゾ素子ＰＺＴへ印加させている。なお、駆動信号ＣＯＭについては後で説明する。
【００２６】
ここでは、画素データＳＩ＿ＡＢが２ビットで構成され、転送用クロック信号ＳＣＫに同期してヘッド制御部ＨＣへ送られてくる。この画素データＳＩ＿ＡＢは、２ビットで構成され、ノズルＮｚ毎（ピエゾ素子ＰＺＴ毎）に定められる。この画素データＳＩ＿ＡＢに関し、上位ビット群は各第１シフトレジスタ８１Ａにセットされ、下位ビット群は各第２シフトレジスタ８１Ｂにセットされる。第１シフトレジスタ８１Ａには第１ラッチ回路８２Ａが接続され、第２シフトレジスタ８１Ｂには第２ラッチ回路８２Ｂが接続されている。そして、制御回路６０からのラッチ信号ＬＡＴがＨレベルになると、各第１ラッチ回路８２Ａは対応する画素データＳＩ＿ＡＢの上位ビットをラッチし、各第２ラッチ回路８２Ｂは画素データＳＩ＿ＡＢの下位ビットをラッチする。第１ラッチ回路８２Ａ及び第２ラッチ回路８２Ｂでラッチされた画素データＳＩ＿ＡＢ（上位ビットと下位ビットの組）はそれぞれ、デコーダ８３に入力される。
【００２７】
デコーダ８３は、画素データＳＩ＿ＡＢの上位ビット及び下位ビットに基づいてデコードを行い、スイッチ８５を制御するためのスイッチ制御信号ＳＷを出力する。デコーダ８３は、画素データＳＩ＿ＡＢに基づき、制御ロジック８４から出力される選択データｑ０〜ｑ３を選択し、スイッチ制御信号ＳＷとして出力する。また、制御ロジック８４は、選択データｑ０〜ｑ３をラッチ信号ＬＡＴやチェンジ信号ＣＨのタイミングで出力するものである。ここで、選択データｑ０は、ドット無し用の選択データである。つまり、選択データｑ０は、用紙Ｓにドットを形成しない場合において、スイッチ制御信号ＳＷとなる選択データである。選択データｑ１は、小ドット用の選択データである。つまり、選択データｑ１は、用紙Ｓに小ドットを形成する場合において、スイッチ制御信号ＳＷとなる選択データである。同様に、選択データｑ２は中ドット用の選択データ、選択データｑ３は大ドット用の選択データである。そして、制御ロジック８４は、選択データｑ０〜ｑ３を、異なる信号線を通じて同時に出力する。
【００２８】
デコーダ８３から出力されたスイッチ制御信号ＳＷは、スイッチ８５に入力される。このスイッチ８５は、スイッチ制御信号ＳＷに応じてオンオフするスイッチであり、オン期間において駆動信号ＣＯＭ＿Ａ又はＣＯＭＢをピエゾ素子ＰＺＴへ印加させる。すなわち、このスイッチ８５の入力側には駆動信号生成回路７０からの駆動信号ＣＯＭ＿Ａ又はＣＯＭ＿Ｂが印加され、スイッチ８５の出力側にはピエゾ素子ＰＺＴが接続されている。そして、スイッチ制御信号ＳＷがデータ［１］（Ｈレベル）の場合、スイッチ８５がオン状態となって、駆動信号ＣＯＭ＿Ａ又はＣＯＭ＿Ｂがピエゾ素子ＰＺＴに印加される。また、スイッチ制御信号ＳＷがデータ［０］（Ｌレベル）の場合、スイッチ８５がオフ状態となるので、駆動信号ＣＯＭ＿Ａ又はＣＯＭ＿Ｂはピエゾ素子ＰＺＴに印加されない。尚、ピエゾ素子ＰＺＴの共通電極側にはバイアス電圧ＶＢＳ＿Ａ又はＶＢＳ＿Ｂ（ここでも、個々のバイアス電圧を区別して使用するときには、バイアス電圧ＶＢＳの符号の後ろに対応するノズル列の符号を付して表現される。そして、総称としてのバイアス電圧を呼ぶときは、符号をＶＢＳとして表現する。）が印加されている。
【００２９】
バイアス電圧ＶＢＳは、ピエゾ素子の共通電極側に定電圧を印加するためのものである。何らかの原因により駆動信号が生成されなくなった場合、ピエゾ素子ＰＺＴに印加される電圧は駆動信号の電圧から０（Ｖ）にまで急激に落ちることとなる。そうすると、ピエゾ素子ＰＺＴが急速に変位し誤ってインク滴を吐出してしまうおそれがある。よって、共通電極側に定電圧を印加しておくと、何らかの原因で駆動信号が生成されなくなった場合であっても、急激に０（Ｖ）にまで電圧が落ちることを防ぐことができる。そして、インク滴が誤って吐出されるのを防ぐことができる。尚、バイアス電圧は、それぞれの駆動信号に合わせられたものが使用される。上述のように駆動信号は１０種類用意された。よって、バイアス電圧は１０種類用意され、ＶＢＳ＿Ａ〜ＶＢＳ＿Ｊが用意される。
【００３０】
上述の信号のうち、転送用クロック信号ＳＣＫは、プリンタ１のインク吐出制御で使用されるパルス信号の中でも高速で伝送される信号のうちの１つである。よって、他の信号に対してノイズ源となりやすい。また、周波数が高い信号であるため、他の信号からのノイズの影響を受けやすい。よって、この転送用クロック信号ＳＣＫの伝送線はシールドすることが望ましい伝送線ということになる。
【００３１】
また、画素データＳＩは、ノズルからどのサイズのインク滴を吐出するかを指示するための重要なデータである。仮にこの画素データＳＩが、他の信号からのノイズにより悪影響を受けると正確な画像を形成することができなくなる。よって、この画素データＳＩの伝送線もシールドすることが望ましい伝送線ということになる。
【００３２】
＜駆動信号ＣＯＭについて＞
図５は、駆動信号生成回路７０によって生成される駆動信号ＣＯＭ、及び、ドットの形成時に用いられる制御信号を説明する図である。前述の通り、ここでは１０種類の駆動信号（ＣＯＭ＿Ａ〜ＣＯＭ＿Ｊ）が利用されるこれらの駆動信号は、ほぼ同様の機能を有するため、ここでは、総称としての駆動信号ＣＯＭを代表として説明を行う。
【００３３】
図に示すように、駆動信号ＣＯＭは、ラッチ信号ＬＡＴの立ち上がりタイミングを区切りとした期間Ｔを１つの単位として生成される。期間Ｔには、ラッチ信号ＬＡＴ又はチェンジ信号ＣＨの立ち上がりタイミングによって区切られる区間Ｔ１〜Ｔ４が含まれる。また、区間Ｔ１〜Ｔ４には後述する駆動パルスがそれぞれ含まれる。
【００３４】
繰り返し周期である期間Ｔは、ノズルが１画素分移動する間の期間に対応する。例えば、印刷解像度が７２０ｄｐｉの場合、期間Ｔは、ノズルが１／７２０インチ移動するための期間に相当する。そして、画素データＳＩに基づいて、期間Ｔに含まれる各区間の駆動パルスＰＳ１〜ＰＳ４をピエゾ素子４１７に印加することによって、１つの画素内にいくつかのインク滴が吐出され、複数階調を表現可能としている。
【００３５】
駆動信号ＣＯＭは、繰り返し周期における区間Ｔ１で生成される第１波形部ＳＳ１と、区間Ｔ２で生成される第２波形部ＳＳ２と、区間Ｔ３で生成される第３波形部ＳＳ３と、区間Ｔ４で生成される第４波形部ＳＳ４とを有する。ここで、第１波形部ＳＳ１は駆動パルスＰＳ１を有している。また、第２波形部ＳＳ２は駆動パルスＰＳ２を、第３波形部ＳＳ３は駆動パルスＰＳ３を、第４波形部ＳＳ４は駆動パルスＰＳ４をそれぞれ有している。
【００３６】
そして、駆動パルスＰＳ１、駆動パルスＰＳ３、及び駆動パルスＰＳ４は、ノズルＮｚからインクを吐出させる際に用いられるものであり、互いに同じ波形をしている。ここでは、小ドットの形成時に駆動パルスＰＳ３がピエゾ素子ＰＺＴへ印加される。また、中ドットの形成時には、駆動パルスＰＳ３及び駆動パルスＰＳ４がピエゾ素子ＰＺＴへ印加され、大ドットの形成時には、駆動パルスＰＳ１、駆動パルスＰＳ３、及び駆動パルスＰＳ４がピエゾ素子ＰＺＴへ印加される。駆動パルスＰＳ２は、メニスカスを微振動させるための微振動パルスであり、ドット無しの場合にピエゾ素子ＰＺＴへ印加される。
【００３７】
このような制御を行うため、選択データｑ０〜ｑ３は、Ｔ１〜Ｔ４のそれぞれの区間に各ビットを対応させた４ビットのデータで構成される。そして、選択データｑ０〜ｑ３の最上位ビットは、区間Ｔ１における第１スイッチ８５Ａのオンオフを示し、２番目のビットは区間Ｔ２における第１スイッチ８５Ａのオンオフを示す。同様に、３番目のビットは、区間Ｔ３における第１スイッチ８５Ａのオンオフを示し、最下位ビットは区間Ｔ４における第１スイッチ８５Ａのオンオフを示す。従って、ドット無し用の選択データｑ０は［０１００］とされ、小ドット用の選択データｑ１は［００１０］とされる。同様に、中ドット用の選択データｑ２は［００１１］とされ、大ドット用の選択データｑ３は［１０１１］とされる。そして、制御ロジック８４は、ラッチ信号ＬＡＴのラッチパルスやチェンジ信号ＣＨのチェンジパルスで規定されるタイミングに同期させて、選択データｑ０〜ｑ３の各ビットを時系列で出力する。
【００３８】
駆動信号ＣＯＭは、９０個のピエゾ素子ＰＺＴを駆動させるための電力が必要であるため、他の信号に比して大電流を有する信号である。よって、フレキシブルフラットケーブルを流れる他の信号に対してノイズとして影響を与えやすい信号といえる。よって、駆動信号ＣＯＭの伝送線もシールドすることが望ましい。
【００３９】
＜フレキシブルフラットケーブルを通るその他の信号＞
ここでは、中継用フレキシブルフラットケーブルＣＲ＿ＦＦＣ又はヘッド接続用フレキシブルフラットケーブルＨＤ＿ＦＦＣを経由する上記以外の信号について説明する。
【００４０】
温度信号ＴＨは、ヘッド４１に取り付けられた不図示の温度計測器で得られる温度情報を送るための信号である。この温度信号ＴＨは、ヘッド４１の温度情報をメイン基板Ｂａｓｅ＿Ｍに送る。このように温度信号ＴＨは、温度情報を送るための信号であり、送信される頻度は前述の画素データＳＩなどに比して少ない。
【００４１】
異常加熱通知信号ＸＨＯＴは、ヘッド４１に取り付けられた不図示の異常加熱報知器から発せられる信号である。この信号は、ヘッドが所定の温度以上になったときに、その温度異常をメイン基板Ｂａｓｅ＿Ｍに通知する。異常加熱通知信号ＸＨＯＴが出力されることはほとんどなく、使用頻度はきわめて少ない。
【００４２】
第１電源ＶＤＤは、メイン基板Ｂａｓｅ＿Ｍから中継基板Ｂａｓｅ＿Ｉを介してヘッド制御部ＨＣに電力を供給するための電源である。また、第２電源ＶＤＤ２は、メイン基板Ｂａｓｅ＿Ｍから中継基板Ｂａｓｅ＿Ｉに電力を供給するための電源である。これら、第１電源ＶＤＤと第２電源ＶＤＤ２は定電圧の電源である。
【００４３】
＜差動信号＞
図６Ａは、差動信号を説明するための図である。差動信号の送信では、送信しようとする信号をプラス側差動信号として送信するとともに、さらに、送信しようとする信号を反転させた信号を生成して送信する。ここでは、送信しようとする信号をプラス側差動信号とし、送信しようとする信号を反転した信号をマイナス側差動信号とする。図６Ａ中の図（ａ）は、送信しようとする信号を示す図であり、図（ｂ）はプラス側差動信号を示す図であり、図（ｃ）はマイナス側差動信号を示す図である。
【００４４】
そして、これらの差動信号をフレキシブルフラットケーブルを介して送信した後、プラス側差動信号とマイナス側差動信号を利用して元の信号（送信しようとする信号）に復元する。元の信号への復元は、プラス側差動信号の電圧から、マイナス側差動信号の電圧を減算し、この電圧値を１／２にすること（図（ｄ））により行われる。
【００４５】
図６Ｂは、信号の送信中にノイズが混入するときの差動信号を説明するための図である。ここでは、図６Ａのときと同様にプラス側差動信号（図（ｂ））とマイナス側差動信号（図（ｃ））が生成され、ケーブルを介して送信される。ケーブルを介して送信されるとき、あるノイズＮが混入したとする。プラス側差動信号とマイナス側差動信号は同じケーブルを介して伝送されるため、ほぼ同じノイズが混入している。
【００４６】
しかしながら、上述の手順により、プラス側差動信号とマイナス側差動信号とを用いて元の信号に復元すると、両者に同じように混入していたノイズは前述の電圧値の減算過程により相殺されることとなる（図（ｄ））。このように、差動信号を使用することで信号の伝送中にノイズが混入する場合であっても、元の送信しようとする信号に復元することができるようになる。
【００４７】
このようにしてノイズを除去しているため、プラス側差動信号とマイナス側差動信号には同じ形状のノイズが混入することが望ましい。また、プラス側差動信号とマイナス側差動信号が利用されて元の信号に復元されるため、両者の伝送距離を等しくして、両者に相対的な信号到達の遅延がないようにすることが望ましい。よって、プラス側差動信号とマイナス側差動信号の伝送線はフレキシブルフラットケーブルにおいて近い位置にあることが望ましい。
【００４８】
尚、以下、差動信号である旨を符号で示すとき、差動信号のプラス側差動信号には「＋」を付し、マイナス側差動信号には「−」を付す。例えば、画素データＳＩを差動信号で伝送する場合、画素データＳＩのプラス側差動信号は「ＳＩ＋」となり、マイナス側差動信号は「ＳＩ−」となる。
【００４９】
＜各信号の伝送線の配置＞
図７は、中継用フレキシブルフラットケーブルＣＲ＿ＦＦＣにおける各信号の伝送線の配置を説明するための図である。
【００５０】
中継用フレキシブルフラットケーブルＣＲ＿ＦＦＣは、中継用第１フレキシブルフラットケーブルＣＲ＿ＦＦＣ１と中継用第２フレキシブルフラットケーブルＣＲ＿ＦＦＣ２とが重なって構成される。図において２枚のフレキシブルケーブルは紙面の都合上分断されて示されているが、これらは連続しているものである。また、図には、これら２枚のフレキシブルケーブルが重なって配置されている様子が示されている。図では、２枚のフレキシブルフラットケーブルが接触するように重なっているが、これら２枚のフレキシブルケーブルは接着されておらず、フレキシブルフラットケーブル同士が離れることもある。尚、中継用第１フレキシブルフラットケーブルＣＲ＿ＦＦＣ１は、第１ケーブルに相当し、中継用第２フレキシブルフラットケーブルＣＲ＿ＦＦＣ２は第２ケーブルに相当する。
【００５１】
中継用第１フレキシブルフラットケーブルＣＲ＿ＦＦＣ１において、図の左からバイアス電圧ＶＢＳの伝送線と駆動信号ＣＯＭの伝送線とが交互に合計２０本並べられている。そして、駆動信号ＣＯＭ＿Ｉの伝送線の右隣には、グランド線ＧＮＤが３本並ぶ。さらに右隣には、第１電源ＶＤＤの伝送線が２本並ぶ。そして、グランド線群としてグランド線が１４本並んでいる。このグランド線群の右隣には、温度信号ＴＨの伝送線が配置される。
【００５２】
中継用第２フレキシブルフラットケーブルＣＲ＿ＦＦＣ２において、図の左から駆動信号ＣＯＭの伝送線とバイアス電圧ＶＢＳの伝送線とが交互になるように合計２０本並べられている。そして、バイアス電圧ＶＢＳ＿Ｉの右隣には、グランド線ＧＮＤが１本並ぶ。さらに右隣には、チェンジ信号ＣＨ、ラッチ信号ＬＡＴ、転送用クロック信号ＳＣＫ、画素データＳＩ＿ＡＢ、ＳＩ＿ＣＤ、ＳＩ＿ＥＦ、ＳＩ＿ＧＨ、及び、ＳＩ＿ＩＪの差動信号の伝送線が並ぶ。そして、その右隣には、グランド線ＧＮＤと、異常加熱通知信号ＸＨＯＴの伝送線が並ぶ。
【００５３】
このようにすることで、画素データＳＩの伝送線及び転送用クロック信号ＳＣＫの伝送線がグランド線群を包括する領域に対向するように配置されることとなる。また、転送用クロック信号ＳＣＫと画素データＳＩの１２本の伝送線よりもグランド線群のグランド線が２本多く設定されている。よって、中継用第１フレキシブルフラットケーブルＣＲ＿ＦＦＣ１と中継用第２フレキシブルフラットケーブルＣＲ＿ＦＦＣ２との相対位置が伝送線１本分の範囲内でずれたとしても、グランド線群を包括する領域に対向する位置に転送用クロック信号ＳＣＫの伝送線と画素データＳＩの伝送線が位置するようになる。連続して並ぶグランド線からなるグランド線群は、グランド線群を包括する領域に対向する伝送線からの電磁波をシールドする。よって、これらの伝送線に対するシールド効果を良好に発揮することができる。
【００５４】
ここでは、メイン基板Ｂａｓｅ＿Ｍと中継基板Ｂａｓｅ＿Ｉを接続するために中継用第１フレキシブルフラットケーブルＣＲ＿ＦＦＣ１と中継用第２フレキシブルフラットケーブルとが重ねて使用されている。メイン基板Ｂａｓｅ＿Ｍに対して中継基板Ｂａｓｅ＿Ｉは相対的に移動するものである。そうすると、中継基板Ｂａｓｅ＿Ｉが移動するにつれて、重ねられたフレキシブルフラットケーブル同士が伝送線の並ぶ方向にずれてしまう場合がある。このような場合であっても、上述のような構成により、電圧が変化する伝送線に対するシールド効果を良好に発揮することができることとなる。
【００５５】
特に大型のプリンタなどの場合、キャリッジＣＲの移動距離が長く、フレキシブルフラットケーブルの長さが長くなる。そうすると、伝送線を流れる信号がノイズとなって他の信号に悪影響を与える可能性が高くなる。また、キャリッジＣＲの移動中に重ねられたフレキシブルフラットケーブルが信号線の並ぶ方向にずれてしまう可能性も高くなる。このような場合であっても、上述のように電圧が変化する伝送線に対するシールド効果を良好に発揮することができることとなる。
【００５６】
また、転送用クロック信号ＳＣＫの伝送線の左隣と画素データＳＩ＿ＩＪの伝送線の右隣にグランド線ＧＮＤを配置することとされている。よって、転送用クロック信号ＳＣＫと画素データＳＩの伝送線に対するシールド効果をより高めることができる。
【００５７】
図８は、ヘッド接続用フレキシブルフラットケーブルＨＤ＿ＦＦＣにおける各信号の伝送線の配置を説明するための図である。
【００５８】
ヘッド接続用フレキシブルフラットケーブルＨＤ＿ＦＦＣは、ヘッド接続用第１フレキシブルフラットケーブルＨＤ＿ＦＦＣ１とヘッド接続用第２フレキシブルフラットケーブルＨＤ＿ＦＦＣ２とが重なって構成される。図において２枚のフレキシブルケーブルは紙面の都合上分断されて示されているが、これらは連続しているものである。また、図には、これら２枚のフレキシブルケーブルが重なって配置されている様子が示されている。図では、２枚のフレキシブルフラットケーブルが接触するように重なっているが、これら２枚のフレキシブルケーブルは接着されておらず、フレキシブルフラットケーブル同士が離れることもある。尚、この場合、ヘッド接続用第１フレキシブルフラットケーブルＨＤ＿ＦＦＣ１は第１ケーブルに相当し、ヘッド接続用第２フレキシブルフラットケーブルＨＤ＿ＦＦＣ２は第２ケーブルに相当する。
【００５９】
ヘッド接続用第１フレキシブルフラットケーブルＨＤ＿ＦＦＣ１において、図の左から駆動信号ＣＯＭの伝送線とバイアス電圧ＶＢＳの伝送線とが交互になるように合計２０本並べられている。そして、バイアス電圧ＶＢＳ＿Ｉの伝送線の右隣には、グランド線ＧＮＤが並ぶ。さらに右隣には、第１電源ＶＤＤの伝送線が２本と、第２電源ＶＤＤ２の伝送線が１本並ぶ。そして、グランド線群としてグランド線が１５本並んでいる。
【００６０】
ヘッド接続用第２フレキシブルフラットケーブルＨＤ＿ＦＦＣ２において、図の左からバイアス電圧ＶＢＳの伝送線と駆動信号ＣＯＭの伝送線とが交互になるように合計２０本並べられている。そして、駆動信号ＣＯＭ＿Ｉの伝送線の右隣には異常加熱通知信号ＸＨＯＴの伝送線が並ぶ。その右隣には、グランド線ＧＮＤとチェンジ信号ＣＨとラッチ信号ＬＡＴとが並ぶ。その右隣にはグランド線ＧＮＤが１本並ぶ。されに右隣には、転送用クロック信号ＳＣＫ、画素データＳＩ＿ＡＢ、ＳＩ＿ＣＤ、ＳＩ＿ＥＦ、ＳＩ＿ＧＨ、及び、ＳＩ＿ＩＪの差動信号の伝送線が並ぶ。そして、その右隣には、グランド線ＧＮＤと温度信号ＴＨの伝送線が並ぶ。
【００６１】
ここでも、画素データＳＩの伝送線及び転送用クロック信号ＳＣＫの伝送線がグランド線群を包括する領域に対向するように配置されることとなる。また、転送用クロック信号ＳＣＫと画素データＳＩの１２本の伝送線よりもグランド線群のグランド線が２本以上多く設定されるようになっている。よって、ヘッド接続用第１フレキシブルフラットケーブルＨＤ＿ＦＦＣ１とヘッド接続用第２フレキシブルフラットケーブルＨＤ＿ＦＦＣ２との相対位置が伝送線１本分の範囲内でずれたとしても、グランド線群を包括する領域に対向する位置に転送用クロック信号ＳＣＫの伝送線と画素データＳＩの伝送線が位置するようになる。前述の通り、連続して並ぶグランド線からなるグランド線群は、グランド線群を包括する領域に対向する伝送線からの電磁波をシールドする。よって、これらの伝送線に対するシールド効果を良好に発揮することができる。
【００６２】
また、転送用クロック信号ＳＣＫ伝送線の左隣と画素データＳＩ＿ＩＪの伝送線の右隣にグランド線ＧＮＤを配置することとされている。よって、転送用クロック信号ＳＣＫと画データＳＩの伝送線に対するシールド効果をより高めることができる。
【００６３】
中継基板Ｂａｓｅ＿Ｉとヘッド制御部ＨＣとを接続するためにヘッド接続用第１フレキシブルフラットケーブルＨＤ＿ＦＦＣ１とヘッド接続用第２フレキシブルフラットケーブルＨＤ＿ＦＦＣ２とが重ねて使用されている。中継基板Ｂａｓｅ＿Ｉとヘッド制御部ＨＣとは相対的に移動しないものであるが、重ねられたフレキシブルフラットケーブル同士がプリンタの製造工程において伝送線の方向にずれて組み付けられてしまう場合があり得る。しかしながら、上述のような構成では、電圧変化のある信号線に対して少なくとも３本のグランド線からなるグランド線群が対向するように並ぶようになっている。よって、プリンタの製造工程においてフレキシブルフラットケーブルが、伝送線の並ぶ方向に伝送線１本分の範囲内でずれてしまったとしても、グランド線群を包括する領域にノイズ源となる信号の伝送線が対向するようにすることができる。
【００６４】
また、上述のような２枚のフレキシブルフラットケーブルの構成を、ヘッドが用紙の紙幅方向に並ぶようなラインヘッドプリンタのヘッドとコントローラ基板間の接続に使用することもできる。ラインヘッドプリンタにおいてヘッドとコントローラ基板とは相対的に移動しないものであるが、重ねられたフレキシブルフラットケーブル同士がプリンタの製造工程において伝送線の方向にずれて組み付けられてしまう場合があり得る。このような場合において、プリンタの製造工程においてフレキシブルフラットケーブルが、伝送線の並ぶ方向に伝送線１本分の範囲内で相対的にずれて組み付けられてしまったとしても、グランド線群を包括する領域にノイズ源となる信号の伝送線が対向するようにすることができる。
【００６５】
また、ヘッドが用紙の紙幅方向に並ぶようなラインヘッドプリンタでは、ヘッドの数が多いため使用する信号を多くせざるを得ない。よって、フレキシブルフラットケーブルをさらに多く重ねて使用する場合があるが、このようなとき、上述の実施形態のようにグランド線を並べることとすると効率的に電圧変化する伝送線に対してシールドすることができる。
【００６６】
また、ここでは、転送用クロック信号ＳＣＫの伝送線と画素データＳＩの伝送線がグランド線群を包括する領域に対向するように配置されたが、駆動信号ＣＯＭがグランド線群を包括する領域に対向するように配置されることとしてもよい。駆動信号ＣＯＭの電流量は、フレキシブルフラットケーブルを流れる他の信号に比して電流量が大きく、ノイズ源となるおそれがあるが、このようにすることで他の信号に対する影響を少なくすることができる。
【００６７】
また、ここでは、プラス側差動信号とマイナス側差動信号とを連続して並べるように配置した。これは、プラス側差動信号とマイナス側差動信号の伝送距離をなるべく同じにして、両者に相対的な信号到達の遅延を生じさせたくないためである。また、並べて近い位置に配置することにより、仮にノイズがこれらの信号に乗った場合であっても、これらはほぼ同形状のノイズが乗るものと考えられる。差動信号は、同形状のノイズを相殺するため、このようになるべく近い位置に配置して、仮にノイズが入る場合であっても、同じノイズが入るようにすることが望ましい。
【００６８】
上述の実施形態では、電圧が変化する伝送線がグランド線群を包括する領域に対向するように配置されることとしたが、電圧が変化する伝送線がグランド線群を包括する領域に対向するように配置されたときの最も単純な形態は以下のようなものである。
【００６９】
図９Ａは、電圧変化する伝送線に対して３本のグランド線が対向している様子を説明するための図である。また、図９Ｂは、電圧変化する伝送線に対してグランド線がほぼ１本分ずれたときの様子を説明するための図である。
【００７０】
図９Ａにおいて、３本並ぶグランド線からなるグランド線群の中央に電圧変化する１本の伝送線ｓｇが対向するように位置している。ここで、電圧の変化する伝送線ｓｇは、前述の転送用クロック信号ＳＣＫの伝送線、画素データＳＩの伝送線、又は駆動信号ＣＯＭの伝送線であり、シールドすることが望まれる伝送線である。
【００７１】
図９Ｂは、何らかの原因により、グランド線群に対して電圧変化する伝送線ｓｇが伝送線１本分の範囲内でずれた場合を示している。図９Ａにおいて電圧の変化する１本の伝送線ｓｇがグランド線群の中央に対向するように配置された。よって、電圧の変化する伝送線ｓｇに対してグランド線群が伝送線１本分の範囲内でずれた場合であっても、グランド線群を包括する領域に対向する位置に電圧変化する伝送線ｓｇが位置することとなる。連続して並ぶグランド線からなるグランド線群は、グランド線群を包括する領域に対向する伝送線からの電磁波をシールドする。よって、このようにすることで、電圧の変化する伝送線ｓｇに対するシールド効果を良好に発揮することができることとなる。
【００７２】
＝＝＝第２実施形態＝＝＝
図１０は、第２実施形態における電圧変化する伝送線に対するグランド線の配置を説明するための図である。ここでは、３本並ぶグランド線ＧＮＤの中央に対向するように電圧変化する伝送線ｓｇが配置されている。そして、この電圧変化する伝送線の左右にグランド線ＧＮＤが配置されている。  
前述の実施形態では、連続して並ぶ電圧変化する伝送線の左右にグランド線を配置することとして、複数の電圧変化する伝送線を一括して取り囲むようにグランド線が配置された。一方、第２実施形態では、電圧変化する１本の伝送線に対してグランド線が取り囲むように配置される。  
このように、電圧変化する伝送線ｓｇを取り囲むようにグランド線ＧＮＤが配置されることとなるので、この１本の伝送線ｓｇに対するシールド効果をより高めることができる。
【００７３】
＝＝＝第３実施形態＝＝＝
図１１は、第３実施形態における電圧変化する伝送線に対するグランド線の配置を説明するための図である。  
伝送するべき信号が多い場合や、１枚のフレキシブルフラットケーブルにおける伝送線が並ぶ方向の幅を小さくしたい場合には、さらに多くのフレキシブルフラットケーブルが重ねて使用される場合がある。図では、中央のフレキシブルフラットケーブルに電圧変化する伝送線が示されている。そして、フレキシブルフラットケーブルを挟み込む２枚のフレキシブルフラットケーブルが示されており、この電圧変化する伝送線ｓｇを中央とした位置であって対向する位置にそれぞれ３本のグランド線ＧＮＤからなるグランド線群が配置されている。  
このようにすることで、電圧変化する伝送線ｓｇに対するシールド効果をより高めることができる。また、フレキシブルフラットケーブルを３枚以上重ねる場合において、効率的にグランド線を配置しつつ、電圧変化する伝送線ｓｇに対するシールド効果を発揮することができる。
【００７４】
＝＝＝その他の実施の形態＝＝＝
上述の実施形態では主に小型のプリンタ１を例に説明を行ったが、紙幅が広く、キャリッジＣＲの移動範囲が広い大型のプリンタに上述の技術を適用することとしてもよい。このように、キャリッジＣＲの移動範囲が大きい場合には、キャリッジＣＲの移動中に重ねられたフレキシブルフラットケーブル同士に相対的なずれを生ずることがあるが、このような場合であっても、上述の技術を適用することで電圧変化する伝送線に対するシールド効果を発揮することができる。
【００７５】
また、既述の通り、多くのヘッドが紙幅方向に並ぶように配置されたラインヘッドプリンタに上述の技術を適用することとしてもよい。ラインヘッドプリンタでは、そのヘッド数の多さにより伝送するべき信号が多く、伝送線が多くなる傾向にある。そうすると、フレキシブルフラットケーブルがより多く重ねられて使用されることがある。その際、フレキシブルフラットケーブル同士に相対的なずれを生ずる場合がある。しかしながら、上述の技術を適用することで、効率よくグランド線を配置しつつ、電圧変化する伝送線に対するシールド効果を発揮するようにできる。
【００７６】
また、以上説明した技術は、紙等にインクを吐出して印刷を行う印刷方法以外にも、様々な工業用装置に適用可能である。主なものとしては、布地に模様をつけるための捺染装置（方法）、回路基板上に回路パターンを形成するための回路基板製造装置（方法）、チップへＤＮＡを溶かした溶液を塗布してＤＮＡチップを製造するＤＮＡチップ製造装置（方法）、有機ＥＬディスプレイ等のディスプレイ製造装置（方法）等が挙げられる。
【００７７】
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７８】
＜ヘッドについて＞
前述の実施形態では、圧電素子を用いてインクを吐出していた。しかし、液体を吐出する方式は、これに限られるものではない。例えば、熱によりノズル内に泡を発生させる方式など、他の方式を用いてもよい。
【００７９】
＝＝＝まとめ＝＝＝
（１）上述の実施形態におけるプリンタ１は、中継用第１フレキシブルフラットケーブルＣＲ＿ＦＦＣ１（又は、ヘッド接続用第１フレキシブルフラットケーブルＨＤ＿ＦＦＣ１）と中継用第２フレキシブルフラットケーブルＣＲ＿ＦＦＣ２（又は、ヘッド接続用第２フレキシブルフラットケーブルＨＤ＿ＦＦＣ２）とを含む。中継用第１フレキシブルフラットケーブルＣＲ＿ＦＦＣ１は、所定の方向に並ぶ複数の伝送線においてグランド線が連続して並ぶグランド線群を含む。中継用第２フレキシブルフラットケーブルＣＲ＿ＦＦＣ２は、中継用第１フレキシブルフラットケーブルＣＲ＿ＦＦＣ１に対向するように配置され、所定の方向に複数の伝送線が並ぶ。そして、電圧変化する伝送線が前述のグランド線群を包括する領域に対向するように配置される。
【００８０】
このようにすることで、中継用第１フレキシブルフラットケーブルＣＲ＿ＦＦＣと中継用第２フレキシブルフラットケーブルＣＲ＿ＦＦＣ２との相対位置が伝送線の並ぶ方向にずれたとしても、電圧変化する伝送線（上述の実施形態におけるＳＣＫ、ＳＩ、ＣＯＭ）がグランド線群を包括する領域に対向するように位置することとなるようにすることができる。連続して並ぶグランド線からなるグランド線群は、グランド線群を包括する領域に対向する伝送線からの電磁波をシールドする。よって、何らかの原因で中継用第１フレキシブルケーブルＣＲ＿ＦＦＣ１と中継用第２フレキシブルケーブルＣＲ＿ＦＦＣ２との相対位置がずれることがあっても、電圧変化する伝送線に対するシールド効果を良好に発揮することができる。  
尚、電圧変化する伝送線としてラッチ信号ＬＡＴ、チェンジ信号ＣＨの伝送線をグランド線群に対向させることとしてもよい。
【００８１】
（２）また、グランド線群において連続して並ぶグランド線ＧＮＤの本数は少なくとも３本である。  
このようにすることで、１本の電圧変化する伝送線に対して３本のグランド線ＧＮＤからなるグランド線群を対向させるように配置することができる。よって、中継用第１フレキシブルフラットケーブルＣＲ＿ＦＦＣと中継用第２フレキシブルフラットケーブルＣＲ＿ＦＦＣ２との相対位置が伝送線１本分の範囲内でずれたとしても、グランド線群を包括する領域に対向する位置に電圧変化する伝送線が位置するようにすることができる。よって、何らかの原因で中継用第１フレキシブルケーブルＣＲ＿ＦＦＣ１と中継用第２フレキシブルケーブルＣＲ＿ＦＦＣ２との相対位置が伝送線１本分の範囲内でずれることがあっても、電圧変化する伝送線に対するシールド効果を良好に発揮することができる。
【００８２】
（３）また、グランド線群において連続して並ぶグランド線ＧＮＤの本数は、電圧変化する伝送線の本数よりも少なくとも２本多い。  
このようにすることで、複数の電圧変化する伝送線に対して２本多いグランド線ＧＮＤからなるグランド線群を対向させるように配置することができる。よって、中継用第１フレキシブルフラットケーブルＣＲ＿ＦＦＣと中継用第２フレキシブルフラットケーブルＣＲ＿ＦＦＣ２との相対位置が伝送線１本分の範囲内でずれたとしても、グランド線群を包括する領域に対向するように電圧変化する伝送線が位置するようすることができる。よって、何らかの原因で中継用第１フレキシブルケーブルＣＲ＿ＦＦＣ１と中継用第２フレキシブルケーブルＣＲ＿ＦＦＣ２との相対位置が伝送線１本分の範囲内でずれることがあっても、電圧変化する伝送線に対するシールド効果を良好に発揮することができる。
【００８３】
（４）また、中継用第２フレキシブルフラットケーブルＣＲ＿ＦＦＣ２（又は、ヘッド接続用第２フレキシブルケーブルＨＤ＿ＦＦＣ２）において、さらに、電圧変化する伝送線を挟み込むようにグランド線ＧＮＤが配置される。  
このように、電圧変化する伝送線を挟み込むようにグランド線を配置するので、電圧変化する伝送線に対するシールド効果をより高めることができる。
【００８４】
（５）また、中継用第２フレキシブルフラットケーブルＣＲ＿ＦＦＣ２において中継用第１フレキシブルフラットケーブルＣＲ＿ＦＦＣ１が対向する側の反対側に対向し、所定の方向に複数の伝送線が並ぶ中継用第３フレキシブルフラットケーブルＣＲ＿ＦＦＣ３であって、電圧変化する伝送線がグランド線群を包括する領域に対向するように配置される中継用第３フレキシブルフラットケーブルＣＲ＿ＦＦＣ３をさらに備える。
【００８５】
このようにすることで、中継用第２フレキシブルフラットケーブルＣＲ＿ＦＦＣ２の電圧変化する伝送線を挟み込むように中継用第１フレキシブルフラットケーブルＣＲ＿ＦＦＣ１のグランド線群と中継用第３フレキシブルフラットケーブルＣＲ＿ＦＦＣ３のグランド線群を配置するので、電圧変化する伝送線に対するシールド効果をより高めることができる。また、フレキシブルフラットケーブルを３枚以上重ねる場合において、効率よくグランド線を配置しつつ、電圧変化する伝送線に対するシールド効果を良好に発揮するようにできる。
【００８６】
（６）また、電圧変化する伝送線は、送信する信号と該送信する信号に対して反転した信号とで構成される差動信号を伝送する。  
このようにすることで、フレキシブルフラットケーブルを経由して信号を伝送する際にノイズが混入する場合であっても、差動信号を使用することによりノイズを打ち消して、送信しようとした元の信号に容易に復元することができるようになる。
【００８７】
（７）また、電圧変化する伝送線は転送用クロック信号ＳＣＫを伝送する。  
転送用クロック信号ＳＣＫは、プリンタ１のインク吐出制御で使用されるパルス信号の中でも高速で伝送される信号のうちの一つである。よって、他の信号に対してノイズ源となりやすい。また、周波数が高い信号であるため、他の信号からのノイズの影響を受けやすい。しかしながら、転送用クロック信号ＳＣＫの伝送線は上述のようにシールドされるので、他の機器に対するノイズの影響を少なくすることができる。また、転送用クロック信号ＳＣＫ自体も他の信号からの影響を受けにくくなり、正確な転送用クロック信号ＳＣＫを伝送することができるようになる。
【００８８】
（８）また、インク滴を吐出するためのヘッド４０をさらに備え、電圧変化する伝送線は液体滴を吐出させるためにヘッド４０に印加される駆動信号ＣＯＭを伝送する。  
駆動信号ＣＯＭは、駆動信号生成回路７０において電流増幅されて生成される信号であり、フレキシブルフラットケーブルを流れる他の信号に比して電流量が大きい。よって、フレキシブルフラットケーブルを流れる他の信号に対してノイズとして影響を与えやすいが、上述のように電圧変化する伝送線としてシールドできるので、他の信号に対するノイズの影響を少なくすることができる。また、駆動信号ＣＯＭを送る伝送線がシールドされるので、駆動信号ＣＯＭ自体も他の信号からの影響を受けにくくなり、正確な駆動信号を伝送することができるようになる。
【００８９】
（９）また、インク滴を吐出するためのヘッド４０をさらに備え、電圧変化する伝送線はインク滴を吐出するか否かを制御するための制御信号としての画素データＳＩを伝送する。  
画素データＳＩは、画素にどのサイズのドットを形成するかを指示するための重要なデータである。仮にこの画素データＳＩが、他の信号からのノイズにより悪影響を受けると正確な画像を形成することができなくなる。しかしながら、ここでは画素データＳＩの伝送線が、上述のように電圧変化する伝送線としてシールドされるので、他の信号からのノイズの影響を少なくすることができる。
【００９０】
（１０）また、中継用第１フレキシブルフラットケーブルＣＲ＿ＦＦＣ１の一方の端部と中継用第２フレキシブルフラットケーブルＣＲ＿ＦＦＣ２の一方の端部とが接続するメイン基板Ｂａｓｅ＿Ｍと、中継用第１フレキシブルフラットケーブルＣＲ＿ＦＦＣ１の他方の端部と中継用第２フレキシブルフラットケーブルＣＲ＿ＦＦＣ２の他方の端部とが接続する中継基板Ｂａｓｅ＿Ｉとは、互いに相対的に移動する基板である。  
このように基板同士が相対的に移動する場合、重ねられたフレキシブルフラットケーブル同士が伝送線の並ぶ方向にずれてしまう場合がある。このような場合であっても、電圧変化する伝送線がグランド線群を包括する領域に対向するように位置することとなるようにすることができる。
【００９１】
（１１）また、ヘッド接続用第１フレキシブルフラットケーブルＨＤ＿ＦＦＣ１の一方の端部とヘッド接続用第２フレキシブルフラットケーブルＨＤ＿ＦＦＣ２の一方の端部とが接続する中継基板Ｂａｓｅ＿Ｉの接続部と、ヘッド接続用第１フレキシブルフラットケーブルＨＤ＿ＦＦＣ１の他方の端部とヘッド接続用第２フレキシブルフラットケーブルＨＤ＿ＦＦＣ２の他方の端部とが接続するヘッド制御部ＨＣ接続部とは、互いに相対的に移動しない接続部である。  
このように基板同士が相対的に移動しない場合であっても、プリンタの組み立て工程において伝送線が並ぶ方向にずれて組み付けられてしまう場合があり得る。このような場合であっても、電圧変化する伝送線がグランド線群を包括する領域に対向するように位置することとなるようにすることができる。
【００９２】
（１２）また、上述のようにグランド線と電圧変化する伝送線とを配置した重ねられたフレキシブルフラットケーブル（信号伝送路）を他の用途に使用することができることは言うまでもない。
【図面の簡単な説明】
【００９３】
【図１】プリンタ１の構成を説明するためのブロック図である。
【図２】プリンタ１を説明するための斜視図である。
【図３】ヘッド４１の構造を説明するための図である。
【図４】ヘッド制御部ＨＣの構成を説明するブロック図である。
【図５】駆動信号生成回路７０によって生成される駆動信号ＣＯＭ、及び、ドットの形成時に用いられる制御信号を説明するための図である。
【図６】図６Ａは差動信号を説明するための図であり、図６Ｂは信号の送信中にノイズが混入するときの差動信号を説明するための図である。
【図７】中継用フレキシブルフラットケーブルＣＲ＿ＦＦＣにおける各信号の伝送線の配置を説明するための図である。
【図８】ヘッド接続用フレキシブルフラットケーブルＨＤ＿ＦＦＣにおける各信号の伝送線の配置を説明するための図である。
【図９】図９Ａは、電圧変化する伝送線に対して３本のグランド線が対向している様子を説明するための図であり、図９Ｂは、電圧変化する伝送線に対してグランド線が伝送線１本分ずれたときの様子を説明するための図である。
【図１０】第２実施形態における電圧変化する伝送線に対するグランド線の配置を説明するための図である。
【図１１】第３実施形態における電圧変化する伝送線に対するグランド線の配置を説明するための図である。
【符号の説明】
【００９４】
１  プリンタ、２０  用紙搬送機構、
３０  キャリッジ移動機構、４０  ヘッドユニット、
５０  検出器群、６０  制御回路、７０  駆動信号生成回路、
８１Ａ  第１シフトレジスタ、８１Ｂ  第２シフトレジスタ、
８２Ａ  第１ラッチ回路、８２Ｂ  第２ラッチ回路、
８３  デコーダ、８４  制御ロジック、８５  スイッチ、
Ｂａｓｅ＿Ｍ  メイン基板、Ｂａｓｅ＿Ｉ  中継基板、
ＣＨ  チェンジ信号、ＣＯＭ  駆動信号、
ＣＲ＿ＦＦＣ  中継用フレキシブルフラットケーブル、
ＣＲ＿ＦＦＣ１  中継用第１フレキシブルフラットケーブル、
ＣＲ＿ＦＦＣ２  中継用第２フレキシブルフラットケーブル、
ＨＤ  ヘッド制御部、
ＨＤ＿ＦＦＣ  ヘッド接続用フレキシブルフラットケーブル、
ＨＤ＿ＦＦＣ１  ヘッド接続用第１フレキシブルフラットケーブル、
ＨＤ＿ＦＦＣ２  ヘッド接続用第２フレキシブルフラットケーブル、
ＬＡＴ  ラッチ信号、ＳＣＫ  転送用クロック信号、
ＳＩ  画素データ、ＶＢＳ  バイアス電圧
【図１】
2008290387.tif 000003
【図２】
2008290387.tif 000004
【図３】
2008290387.tif 000005
【図４】
2008290387.tif 000006
【図５】
2008290387.tif 000007
【図６】
2008290387.tif 000008
【図７】
2008290387.tif 000009
【図８】
2008290387.tif 000010
【図９】
2008290387.tif 000011
【図１０】
2008290387.tif 000012
【図１１】
2008290387.tif 000013